(57)【要約】【課題】シート類を含む多様な物品の吊下保持具を提供する。【解決手段】シート類を含む物品を吊下保持するべく鉛直面上に取り付け可能な吊下保持具において、平面である背面と下向きの底面とを具備し左右方向に延在する本体１と、本体の少なくとも背面側全体を覆うように背面に沿って設けた支持平板９と、を備え、本体が、背面の一部にて左右方向の所定の長さ及び前後方向の所定の幅をもって切り欠かれた空間であってシート類を挿入可能とするべく底面に開口するシート用間隙３Ａと、シート用間隙の前面壁から前後方向の所定の長さをもって穿設されかつ少なくとも下面は後方側が低くなる傾斜面である１又は複数のボール室と、各ボール室内に左右方向には所定の遊びをもって前後方向には傾斜面上を転動自在に１つずつ収容されたボール７と、を有する。【選択図】図５
2012020431.tif 000002
【特許請求の範囲】
【請求項１】
シート類を含む物品を吊下保持するべく鉛直面上に取り付け可能な吊下保持具において、平面である背面（６）と下向きの底面（３）とを具備し左右方向に延在する本体（１）と、前記本体（１）の少なくとも背面側全体を覆うように前記背面（６）に沿って設けた支持平板（９）と、を備え、前記本体（１）が、
前記背面（６）の一部にて左右方向の所定の長さ及び前後方向の所定の幅（ｄ１）をもって切り欠かれた空間であってシート類を挿入可能とするべく前記底面（３）に開口するシート用間隙（３Ａ）と、
前記シート用間隙（３Ａ）の前面壁（３Ａ１）から前後方向の所定の長さ（ｄ２）をもって穿設されかつ少なくとも下面は後方側が低くなる傾斜面（７Ａ１）である１又は複数のボール室（７Ａ）と、
前記１又は複数のボール室（７Ａ）の各々に、左右方向には所定の遊びをもって前後方向には前記傾斜面上を転動自在に１つずつ収容されたボール（７）と、を有することを特徴とする吊下保持具。
【請求項２】
前記本体（１）がさらに、
前記シート用間隙（３Ａ）以外の箇所である、前記背面（６）の一部にて左右方向の所定の長さ及び前後方向の所定の幅（ｄ３）をもって切り欠かれた空間であって磁性物品を挿入可能とするべく前記底面（３）に開口する物品用間隙（３Ｂ）と、
前記物品用間隙（３Ｂ）の上方側にて前記本体（１）内に埋設された磁石（８）と、を有することを特徴とする請求項１に記載の吊下保持具。
【請求項３】
前記支持平板（９）が前記本体（１）の底面（３）よりも下方に延在していることを特徴とする請求項２に記載の吊下保持具。
【請求項４】
前記磁石（８）に追加して、左右方向の１又は複数の箇所において前記本体（１）内に埋設された第２の磁石（８’）を有することを特徴とする請求項２又は３に記載の吊下保持具。
【請求項５】
前記支持平板（９）を貫通しさらに前記本体（１）の背面（６）から内部に向かって前方が高くなるように穿設された取付孔（９Ａ，６Ａ）を設けたことを特徴とする請求項２又は３に記載の吊下保持具。
【発明の詳細な説明】
【技術分野】
【０００１】
本発明は、壁、家具又は電化製品等における鉛直面に取付けられ、シート類及び物品を吊り下げ可能な吊下保持具に関する。
【背景技術】
【０００２】
従来、シート類を鉛直面に沿って保持するための器具の１つとして、特許文献１のものが知られている。特許文献１に記載の薄物挟持具は、左右の長手方向に延在する本体が、互いに間隙を設けて連結された背面側の平板部と前面側のＬ型板部とを有し、Ｌ型板部裏面の凹部空間内には、遊びを有して複数のボールを左右一列に充填配置している。Ｌ型板部の傾斜面上に載置された各ボールには、重力により背面側の平板部に向かって転がり落ちる力が働き、その結果、各ボールは常に平板部に対して押圧力を負荷する。さらに、平板部とＬ型板部の間に設けた間隙には上下いずれの方向からもシート類を挿入でき、挿入されたシート類は、ボールの押圧力により、平板部に押しつけられることにより保持される。この機構は、両手を用いることが必要な画鋲や磁石などとは異なり、片手で速やかにシート類を鉛直面上に保持しかつ取り外すことができるため、便利である。
【先行技術文献】
【特許文献】
【０００３】
【特許文献１】特許３６８２７００号公報
【発明の概要】
【発明が解決しようとする課題】
【０００４】
しかしながら、特許文献１の薄物挟持具には、以下のような問題点がある。
（ア）複数のボールが、遊び程度の間隙のみを設けて一列に充填配置されているため、多数のボールが必要となり、コストが高くなる。
（イ）ボール数が多いために全体が極めて重くなり、取付面の負担が大きくなる。
（ウ）互いに当接している平板部とボールの間にシート類を挿入する際には、シート類の縁部がボールを押しのけて入り込む必要があるが、多数のボールがほぼ隙間無く充填されていると、それらのボールを押しのけるために多大な力を必要とし、弱いシート類では円滑に挿入できない場合もあり得る。
【０００５】
（エ）例えば、ボールがビー玉の場合、通常のＡ４紙であれば１個又は２個のボールでも十分に保持可能である。そこで、仮に特許文献１の薄物挟持具において単にボールの数を減らした場合、上記（ア）〜（ウ）の問題は一応解消できるが、新たな問題が生じる。すなわち、隣り合うボール間に遊び以上の間隔が生じると、各ボールが左右方向に大きな範囲で自由に移動可能となる。特許文献１の薄物挟持具では、複数のボールが特定の箇所に片寄ったとしても、Ｌ型板部で覆われているために外部から見ることも、各ボールの位置を適切に調整することもできない。そして、ボールの無い箇所にシート類を挿入しても、保持することはできない。また、運搬の際にボール同士が衝突して騒音を発生する上、破損するおそれもある。
【０００６】
（オ）特許文献１の薄物挟持具により保持可能なものは、平板部とＬ型板部の間の間隙より薄いものに限られるが、家庭や職場の日常生活においては、シート類に比べて厚みのある物品又は質量の大きい物品を一定の保管場所に置いておきたい場合が多々ある。例えば、鍵、工具、部品などである。シート類の吊下保持具が、これらの物品も同時に吊下保持できれば、極めて便利である。
【０００７】
本発明の目的は、上記の全ての問題点を解決可能なシート類を含む多様な物品の吊下保持具を提供することである。
【課題を解決するための手段】
【０００８】
上記の目的を解決する本発明による吊下保持具の構成は、以下の通りである。なお、括弧内の数字は、後述する図面中の符号であり、参考のために付する。
【０００９】
本発明による吊下保持具は、シート類を含む物品を吊下保持するべく鉛直面上に取り付け可能なものである。この吊下保持具は、平面である背面（６）と下向きの底面（３）とを具備し左右方向に延在する本体（１）と、前記本体（１）の少なくとも背面側全体を覆うように前記背面（６）に沿って設けた支持平板（９）と、を備える。
前記本体（１）は、前記背面（６）の一部にて左右方向の所定の長さ及び前後方向の所定の幅（ｄ１）をもって切り欠かれた空間であってシート類を挿入可能とするべく前記底面（３）に開口するシート用間隙（３Ａ）と、前記シート用間隙（３Ａ）の前面壁（３Ａ１）から前後方向の所定の長さ（ｄ２）をもって穿設されかつ少なくとも下面は後方側が低くなる傾斜面（７Ａ１）である１又は複数のボール室（７Ａ）と、前記１又は複数のボール室（７Ａ）の各々に、左右方向には所定の遊びをもって前後方向には前記傾斜面上を転動自在に１つずつ収容されたボール（７）と、を有する。
【００１０】
上記吊下保持具の好適な態様においては、前記本体（１）がさらに、前記シート用間隙（３Ａ）以外の箇所である、前記背面（６）の一部にて左右方向の所定の長さ及び前後方向の所定の幅（ｄ３）をもって切り欠かれた空間であって磁性物品を挿入可能とするべく前記底面（３）に開口する物品用間隙（３Ｂ）と、前記物品用間隙（３Ｂ）の上方側にて前記本体（１）内に埋設された磁石（８）と、を有する。
【００１１】
上記吊下保持具の好適な態様においては、前記支持平板（９）が前記本体（１）の底面（３）よりもさらに下方に延在している。
【００１２】
上記吊下保持具の好適な態様においては、前記磁石（８）に追加して、左右方向の１又は複数の箇所において前記本体（１）内に埋設された第２の磁石（８’）を有する。
【００１３】
上記吊下保持具の好適な態様においては、前記支持平板（９）を貫通しさらに前記本体（１）の背面（６）から内部に向かって前方が高くなるように穿設された取付孔（９Ａ，６Ａ）を設けている。
【発明の効果】
【００１４】
本発明による吊下保持具は、左右方向に延在する本体の背面に沿って支持平板を設けており、本体の背面側を切り欠いたシート用間隙に対して、底面の開口からシート類を挿入可能である。シート用間隙の前面壁に穿設したボール室には、球体のボールが転動自在に収容されており、ボール室の下面は後方側が低くなる傾斜面である。従って、吊下保持具を正しく鉛直面に取り付けた場合、重力によりボールは後方側へ転動しようとする。この結果、ボールは、その一部がボール室からシート用間隙の空間に突出して支持平板に当接し、支持平板を所定の力で押圧した状態となる。そして、支持平板とボールとの間に下方からシート類が挿入されると、ボールの押圧力によりシート類の上端部を支持平板に押しつけて保持し、シート類を吊り下げることができる。取り外すときは、シート類を下方に引くだけでよい。
【００１５】
１つのボールが１つのボール室に収容されることにより、隣り合う２つのボールが左右方向において互いに隔絶され、衝突しない状態が実現される。これにより、隣り合うボールの衝突による騒音及び破損は回避できる。また、ボール室内のボールは、左右方向には所定の遊びをもって収容されているので、１つのボールの左右方向における位置は、ほぼ一定の範囲内に制限される。なお、本発明におけるボール室の左右方向の"所定の遊び"は、機械分野における一般用語としての"遊び"よりも広い場合も含むものとする。これは、単にボールをボール室に挿入できるだけでなく、前後方向に転動自在であることを確保する必要があるからである。ボール室の左右方向の所定の遊びが大きくなると、ボールの左右方向における移動許容範囲が大きくなる。その場合、ボールがボール室の壁に衝突して騒音を生じる点ではあまり好ましくないが、少なくとも、隣り合うボール同士の衝突を回避できるという効果は維持される。
【００１６】
１つ又は複数のボールを設ける場合、適切な位置を決めて各ボール室を設け、各ボールを収容すれば、各ボールは所定の遊び以上には左右方向に移動することなく、その位置でシート類を保持する機能を果たす。つまり、左右方向において、ボールが片寄ったり、各ボールがどの位置にあるかわからない、という状況は発生しない。
【００１７】
シート用間隙の左右方向の長さ、ボール室の大きさ、ボール室の傾斜面の角度、ボール室の数、複数のボール室の配置間隔、ボールの大きさ及び質量などは、保持しようとするシート類の横幅及び質量に応じて、必要十分な値に設定することができる。
【００１８】
これにより、前述の（ア）〜（エ）の問題点を全て解決することができる。すなわち、シート用間隙の左右方向全体に亘ってボールを隙間無く充填する必要はなく、必要最小数で足りる。よって、吊下保持具が軽量化される。さらに、適切な数のボールを適切な位置に配置することにより、シート類を円滑に挿入することができると同時に十分に保持することを実現できる。また、各ボールが左右方向において移動したり片寄ったりすることなく、ボール同士が衝突して騒音を発生したり破損したりすることもない。
【００１９】
さらに、シート用間隙とは別の箇所に、磁性物品を挿入可能な物品用間隙を設けてその上方側に磁石を埋設することにより、磁性物品を物品用間隙に下方から挿入してその上端を磁石に吸着させ、磁性物品を吊り下げることができる。これにより、前述の（オ）の問題点を解決できる。
【００２０】
支持平板が本体の底面よりもさらに下方に延在していることにより、シート用間隙に対してシート類を下方から円滑に挿入する際の案内板の役割を果たすことができる。また、適切な長さとすることにより、吊り下げられたシート類の背面に沿ってシート類を安定に支持することができ、シート類に文字等を記入する際の下敷きの役割を果たすこともできる。
【００２１】
物品用間隙の上方に埋設される磁石は、第１には、磁性物品を磁力により吸着保持する役割を果たすが、第２には、磁性をもつ鉛直面に吊下保持具を取り付ける役割も果たすことができる。そして、物品用間隙の上方に埋設される磁石に追加して、本体における左右方向の１又は複数の箇所に第２の磁石を埋設することにより、これら第２の磁石も合わせた磁力により、吊下保持具を磁性をもつ鉛直面に対し強固に取り付けることができる。
【００２２】
支持平板を貫通しさらに本体の背面から内部に向かって前方が高くなるように穿設された取付孔により、磁性のない鉛直面に対しても、一般的な略Ｌ型の吊り具を用いて吊下保持具を容易に取り付けることができる。
【図面の簡単な説明】
【００２３】
【図１】（ａ）は本発明による吊下保持具の斜め上方から視た斜視図であり、（ｂ）は斜め下方から見た斜視図である。
【図２】（ａ）は図１の吊下保持具の正面図、（ｂ）は平面図、（ｃ）は左側面図、（ｄ）は底面図、（ｅ）は背面図、及び、（ｆ）は吊下保持具の本体の背面図である。
【図３】（ａ）は図２（ａ）のＡ−Ａ拡大断面図、（ｂ）はＢ−Ｂ拡大断面図、（ｃ）はＣ−Ｃ拡大断面図、（ｄ）はＤ−Ｄ拡大断面図である。
【図４】（ａ）は図２（ｄ）のＥ部拡大図、（ｂ）は図２（ｆ）のＦ部拡大図である。
【図５】本発明による吊下保持具の使用方法を示す正面図である。
【図６】（ａ）は、図５のＧ−Ｇ拡大断面図、（ｂ）はＨ−Ｈ拡大断面図、（ｃ）は別のシート類を保持したときのＨ−Ｈ拡大断面に相当する図である。
【発明を実施するための形態】
【００２４】
以下、実施例を示した図面を参照して本発明の実施の形態を説明する。
図１は、本発明による吊下保持具の一実施例の外観図であり、（ａ）は斜め上方から視た斜視図であり、（ｂ）は斜め下方から見た斜視図である。
図２（ａ）は、図１の吊下保持具の正面図、（ｂ）は平面図、（ｃ）は左側面図、（ｄ）は底面図、（ｅ）は背面図、及び、（ｆ）は吊下保持具の本体の背面図である。図中に、本発明の吊下保持具における左右方向を白矢印で示している。
図３（ａ）は、図２（ａ）のＡ−Ａ拡大断面図、（ｂ）はＢ−Ｂ拡大断面図、（ｃ）はＣ−Ｃ拡大断面図、（ｄ）はＤ−Ｄ拡大断面図である。図中に、本発明の吊下保持具における前後方向及び上下方向を白矢印で示している。
図４（ａ）は、図２（ｄ）のＥ部拡大図、（ｂ）は、図２（ｆ）のＦ部拡大図である。
図５は、本発明による吊下保持具の使用方法を示す正面図である。
図６（ａ）は、図５のＧ−Ｇ拡大断面図、（ｂ）はＨ−Ｈ拡大断面図、（ｃ）は別のシート類を保持したときのＨ−Ｈ拡大断面に相当する図である。
【００２５】
本発明による吊下保持具は、壁、家具又は電化製品等における鉛直面に取り付けられ、使用されるものである。図１（ａ）（ｂ）に示すように、一実施例の吊下保持具１０は、左右方向に延在する本体１と、本体の背面側に沿って設けた支持平板９とを備えている。略直方体である本体１の外面は、前面２、背面（支持平板９と接合された面）、上面４、底面３及び左右一対の側面５とを有する。図１（ｂ）に示すように、下方を向いた底面３には、シート用間隙３Ａ及び物品用間隙３Ｂが開口している。
【００２６】
なお、本体１の前面２、底面３、上面４及び側面５の表面形状は、吊下保持具１０の機能と直接的に関係しないので、図示のような平面でなくともよく、別の実施例として曲面又は任意の形状であってもよい。背面は、支持平板９と接合されるため、平面である。また、吊下保持具１０の材質は、木製、プラスチック製、金属製等、任意であるが、鉛直面に取り付けるため軽量であることが好ましく、加工の容易な材料が好ましい。
【００２７】
図１及び図２（ａ）〜（ｅ）に示すように、吊下保持具１０の内部構造は、外部からはほぼ不可視である。以下、図２〜図４を参照し、吊下保持具１０の内部構造を説明する。
【００２８】
図２（ｄ）の底面図、図２（ｆ）の本体１の背面図、図４（ａ）のＥ部拡大図、及び図４（ｂ）のＦ部拡大図に示すように、底面３にはシート用間隙３Ａ及び物品用間隙３Ｂが開口し、これらの間隙３Ａ、３Ｂの後方側は、支持平板９により閉鎖されている。シート用間隙３Ａ及び物品用間隙３Ｂは、底面３の開口から上方に向かって所定の長さｄ４（図４（ｂ）参照）を有する空間であり、本体１の背面の一部を切り欠いたように形成されている。支持平板９は、少なくとも本体１の背面側全体、すなわち背面６と間隙３Ａ、３Ｂの後方側を覆うように設けられる。本体１の背面６と支持平板９とは、例えば接着剤により、互いに接合される。図示の好適な実施例では、支持平板９が本体１の底面３よりさらに下方に延在している。
【００２９】
図示の例では、シート用間隙３Ａと物品用間隙３Ｂの各々の上下方向の長さｄ４が等しいが、これらは異なる長さであってもよい。間隙３Ａ、３Ｂの上下方向の長さｄ４は、下方からそれぞれの間隙へシート類又は物品を挿入したときの挿入長さに相当する。従って、シート用間隙３Ａについては、シート類の上縁からどの程度離れた位置をボールで保持するかにより、長さｄ４が適宜設定される。一方、物品用間隙３Ｂについては、対象とする物品の大きさにより、長さｄ４が適宜設定される。
【００３０】
シート用間隙３Ａは、図２（ｄ）（ｆ）に示すように左右方向の所定の長さを有し、図３（ｂ）（ｃ）に示すように前後方向に所定の幅ｄ１を有する。左右方向の長さは、挿入するシート類の横幅に応じて適宜設定される。図示の例では、シート用間隙３Ａを１つのみ形成しているが、左右方向に複数並べて形成してもよい。前後方向の幅ｄ１により、挿入可能なシート類の最大厚さが決まる。
【００３１】
図３（ｂ）に最もよく示されるように、シート用間隙３Ａの前面壁３Ａ１から前方に向かって複数のボール室７Ａが穿設されている。図示の例では、図２（ｆ）のように９個のボール室７Ａが等間隔に配置されているが、これに限られず、必要に応じて適宜の室数及び間隔を設定できる。一実施例として、ボール室７Ａが１つでもよい。図３（ｂ）はボール室７Ａの箇所の断面図であるが、ボール室７Ａの下面は後方側が低くなる傾斜面７Ａ１となっている。傾斜角度は、必要に応じて適宜設定される。ボール室７Ａの上面は、下面と同様に傾斜していても水平でもよい。図示の例では、ボール室７Ａは略円筒形であるが、角筒形でもよい。
【００３２】
球体である１つのボール７が、１つのボール室７Ａに収容される。ボール７は、ボール室７Ａ内で、左右方向には所定の遊び（この意味については上述の通り）をもって、前後方向には傾斜面７Ａ１上を転動自在であるように収容される。ボール室７Ａの前後方向の長さｄ２は、少なくともボール７の直径と同じ大きさを有する。従って、ボール７は、ボール室７Ａ内に完全に収容されることが可能である。これは、最大厚さのシート類を保持した場合に相当する。シート類を保持していないときは、図３（ｂ）に示すように、ボール７の一部がボール室７Ａからシート用間隙３Ａの空間に突出して支持平板９に当接し、支持平板９を所定の力で押圧した状態となる。そして、支持平板９とボール７の間に下方からシート類が挿入されると、ボール７の押圧力によりシート類の上端部を支持平板９に押しつけて保持する。このとき、ボール７は、保持したシート類の厚さ分だけ、ボール室７Ａ内に戻される。
【００３３】
ボール７は、本体１と支持平板９を接合する前にボール室７Ａ内に収容される。本体１と支持平板９を接合した後は、ボール７は脱落不能となる。ボール７の材質は、金属製、プラスチック製、ガラス製等、任意であり、例えば、ビー玉やパチンコ玉と同等のものを用いることができる。ボール７の大きさと質量は、必要に応じて適宜設定される。
【００３４】
物品用間隙３Ｂもまた、図２（ｆ）に示すように左右方向の所定の長さを有し、図３（ａ）（ｄ）に示すように前後方向に所定の幅ｄ３を有する。物品用間隙３Ｂに挿入して保持する物品は、磁性物品すなわち磁石に吸着可能な物品である。前後方向の幅ｄ３及び左右方向の長さは、挿入する物品の大きさに応じて適宜設定される。図示の例では、物品用間隙３Ｂを本体の左右両端に１つずつ形成しているが、左右方向における位置及び数は任意である。但し、シート用間隙３Ａの無い箇所に形成する。図示の例では、シート用間隙３Ａの端と、物品用間隙３Ｂの端が繋がっているが、壁により隔絶されていてもよい。また図示の例では、物品用間隙３Ｂの両端が曲面で形成されているが、平面でもよい。
【００３５】
図３（ａ）に最もよく示されるように、本体１の内部において、物品用間隙３Ｂの上方側には、磁石８が埋設されている。磁石８は、物品用間隙３Ｂに挿入された磁性物品を磁力により保持する役割を果たす。図示の例では、磁石８は円柱形であり、同じく円柱形に穿設された磁石室８Ａ内に収容され、接着剤８Ｂで固定されている。図示の例では、磁石８の下端が、物品用間隙３Ｂの上面に露出しているが、必要な磁力が確保されるならば、磁石８が露出しないように本体１内に完全に埋設しもよい。なお、磁石８の形状は、円柱形に限られず、必要な磁力が確保できれば任意の形状でよい。
【００３６】
さらに、磁石８が必要な磁力を備えている場合には、吊下保持具１０自体を磁性を有する鉛直面に取り付ける役割を果たすこともできる。磁石８は、本体１の背面側に配置されるので、支持平板９を介して磁力を及ぼす。なお、磁石８のみの磁力では、吊下保持具１０の取付けに不十分な場合は、図２（ｆ）及び図３（ｃ）に示すように、追加の磁石８’を適宜の箇所及び数にて本体１に埋設する。追加の磁石８’は、専ら吊下保持具１０の取付けにのみ寄与する。従って、シート用間隙３Ａの上方に埋設してもよい。埋設方法は磁石８と同様でよく、例えば、本体１を背面６から穿設して磁石室を形成し、磁石８’を挿入して接着剤で固定する。
【００３７】
図３（ｄ）に示すように、吊下保持具１０の背面側の上部両端にそれぞれ取付孔を形成することが好適である。この取付孔は、支持平板９を貫通する貫通孔９Ａと、貫通孔９Ａと連続し、本体１の背面６から内部に向かって穿設された孔６Ａとからなる。取付孔は、前方が高くなるように形成されている。この取付孔は、吊下保持具１０を磁性のない鉛直面に取り付ける場合に、略Ｌ字型の吊り具により取り付けるためのものである。
【００３８】
図５は、本発明による吊下保持具１０の使用方法の一例を説明した図である。吊下保持具１０は、磁石８、８’の磁力により磁性を有する鉛直面に取り付けられている。取付け状態は、吊下保持具１０の左右方向が、水平方向となるようにする。支持平板９は、鉛直方向を向いている。
【００３９】
シート類２１、２２は、シート用間隙３Ａに対して下方から挿入する。シート類の上縁が突き当たるまで挿入すると、ボール７により保持される。支持平板９が本体１よりも下方に延在していることにより、シート類の上縁が引っ掛かることなく円滑に挿入することができる。取り外すときは、シート類を下方に引くだけでよい。シート類２１、２２は、紙、プラスチック、金属、布等、保持可能な厚さ及び横幅と質量のものであれば、どのような材質でもよい。
【００４０】
磁性物品３１、３２は、物品用間隙３Ｂに対して下方から挿入する。ある程度挿入すると、磁力により上方に引き寄せられ、磁石８に吸着して保持される。磁性物品３１、３２は、保持可能な厚さ及び横幅と質量をもつ磁性を有する物品である。取り外すときは、磁性物品３１、３２の下部を持って引くだけでよい。
【００４１】
図６（ａ）は、磁性物品３１を保持した状態の断面図である。図６（ｂ）は、比較的薄いシート類２１を保持した状態の断面図である。図６（ｃ）は、比較的厚いシート例２１’を保持した状態の断面図である。例えば、発泡プラスチック板等であれば、厚くとも軽いので、この吊下保持具により保持可能である。
【符号の説明】
【００４２】
１  本体
２  前面
３  底面
３Ａ  シート用間隙
３Ｂ  物品用間隙
４  上面
５  側面
６  背面
６Ａ、９Ａ  取付孔
７  ボール
７Ａ  ボール室
７Ａ１  傾斜面
８、８’  磁石
８Ａ  磁石室
８Ｂ  接着剤
９  支持平板
１０  吊下保持具
２１、２１’、２２  シート類
３１、３２  磁性物品
【図１】
2012020431.tif 000003
【図２】
2012020431.tif 000004
【図３】
2012020431.tif 000005
【図４】
2012020431.tif 000006
【図５】
2012020431.tif 000007
【図６】
2012020431.tif 000008